(57)【要約】      （修正有）【課題】鉛直方向の精度が悪い躯体枠に対しても、簡単に鉛直度を出して施工することができるとともに、施工時の環境負荷の小さい開口枠を提供する。【解決手段】建造物の躯体枠Ｗに取り付けられる開口枠１において、開口枠１の縦方向部材２、３を、躯体枠Ｗに、調整機構によって鉛直度を出した状態で取り付ける。調整機構を、固定用部材と位置決め部材とで構成する。【選択図】図１
2009235881.tif 000002
【特許請求の範囲】
【請求項１】
建造物の躯体枠に取り付けられる開口枠において、前記開口枠の縦方向部材を、前記躯体枠に、調整機構によって鉛直度を出した状態で取り付けたことを特徴とする開口枠。
【請求項２】
前記調整機構を、前記躯体枠に取り付けた固定用部材と、該固定用部材に対して、前記開口枠の縦方向部材の位置決めを行う位置決め部材とから構成したことを特徴とする請求項１記載の開口枠。
【請求項３】
前記開口枠の縦方向部材が、開口端部に配設する縦枠部材であることを特徴とする請求項１又は２記載の開口枠。
【請求項４】
前記開口枠の縦方向部材が、戸袋の開口側端部に配設する方立部材であることを特徴とする請求項１又は２記載の開口枠。
【発明の詳細な説明】
【技術分野】
【０００１】
本発明は、開口枠に関し、特に、建造物の開口を補強する枠部材（以下、「躯体枠」という。）に取り付けられる開口枠の改良に関するものである。
【背景技術】
【０００２】
従来、建造物の開口を補強する躯体枠は、鉛直方向の精度を出しにくいため、躯体枠に、別途形成した開口枠を取り付けるようにしている。
【０００３】
この開口枠は、例えば、図６に示すように、縦枠部材４１、上枠部材４２及び方立部材４３から開口枠４０を構成するようにし、引戸を壁面の戸袋内に収納する場合には、縦枠部材４１、上枠部材４２及び方立部材４３と、戸袋用縦枠部材４４、戸袋用下枠部材４５及び戸袋補強用横桟部材４６とを組み合わせて構成するようにしている。
そして、図６に示す例では、縦枠部材４１、上枠部材４２及び戸袋用縦枠部材４４は、予め建造物に設置されている躯体枠Ｗ（ここで、躯体枠Ｗは、横方向躯体枠部材Ｗｘと縦方向躯体枠部材Ｗｙ、Ｗｙとを略Ｈ状に連結して構成されている。）に、通常、鉄筋等からなる固定用アンカＡを介して、溶接によって取り付けるようにしている。
【発明の開示】
【発明が解決しようとする課題】
【０００４】
ところで、建造物に設置されている躯体枠Ｗは、鉛直方向の精度が悪く、開口枠４０の縦枠部材４１及び戸袋用縦枠部材４４、さらには、方立部材４３は、その取付に際して、鉛直度を出して施工する必要があるため、施工に手数を要するという問題があった。
また、躯体枠Ｗに対する取付を、溶接によって行うようにしているため、環境負荷が大きいだけでなく、作業に熟練が要求されるという問題もあった。
【０００５】
本発明は、上記従来の開口枠に関する問題点に鑑み、鉛直方向の精度が悪い躯体枠に対しても、簡単に鉛直度を出して施工することができるとともに、施工時の環境負荷の小さい開口枠を提供することを目的とする。
【課題を解決するための手段】
【０００６】
上記目的を達成するため、本発明の開口枠は、建造物の躯体枠に取り付けられる開口枠において、前記開口枠の縦方向部材を、前記躯体枠に、調整機構によって鉛直度を出した状態で取り付けたことを特徴とする。
【０００７】
この場合において、前記調整機構を、前記躯体枠に取り付けた固定用部材と、該固定用部材に対して、前記開口枠の縦方向部材の位置決めを行う位置決め部材とから構成することができる。
【０００８】
さらにこの場合において、前記開口枠の縦方向部材として、開口端部に配設する縦枠部材を対象とすることができる。
【０００９】
また、前記開口枠の縦方向部材として、戸袋の開口側端部に配設する方立部材を対象とすることができる。
【発明の効果】
【００１０】
本発明の開口枠によれば、開口枠の縦方向部材を、前記躯体枠に、調整機構によって鉛直度を出した状態で取り付けることにより、予め建造物に設置されている躯体枠の精度に左右されることなく、簡単に鉛直度を出して開口枠を取り付けることができ、これにより、施工時間を大幅に短縮することができるとともに、施工に溶接機を使用しないため、施工時の環境負荷を小さくすることができる。
【００１１】
また、前記調整機構を、前記躯体枠に取り付けた固定用部材と、該固定用部材に対して、前記開口枠の縦方向部材の位置決めを行う位置決め部材とから構成することにより、縦方向部材の位置決めを簡易に行うことができる。
【００１２】
また、前記開口枠の縦方向部材として、開口端部に配設する縦枠部材を対象とすることにより、開口枠に引戸を配設する場合に、引戸の取り付けの基準となる縦枠部材を、躯体枠の縦方向躯体枠部材の精度に左右されることなく、鉛直度を出すことができ、引戸の開閉操作に支障をきたすことをなくすことができる。
【００１３】
また、前記開口枠の縦方向部材として、戸袋の開口側端部に配設する方立部材を対象とすることにより、開口枠に引戸を配設し、その引戸を戸袋内に収納する場合に、引戸と方立とが干渉することをなくすことができる。
【発明を実施するための最良の形態】
【００１４】
以下、本発明の開口枠の実施の形態を、図面に基づいて説明する。
【実施例１】
【００１５】
図１〜図４に、本発明の開口枠の第１実施例を示す。
この開口枠１は、従来例と同様、建造物の躯体枠Ｗに取り付けられるもので、通常、居室と廊下とを仕切る引戸Ｄを取り付けるために、より具体的には、引戸枠として利用される。
そして、この実施例においては、開口枠１の縦方向部材として、開口端部に配設する縦枠部材２及び戸袋の開口側端部に配設する方立部材３を、躯体枠Ｗに、調整機構６によって鉛直度を出した状態で取り付けるようにしている。
【００１６】
ここで、開口枠１の縦方向部材としては、本実施例に示すように、開口端部に配設する縦枠部材２及び戸袋の開口側端部に配設する方立部材３があるのが一般的であるが、引戸Ｄを戸袋内に収納することのないタイプの開口枠の場合には方立部材３を配設しないこともある。ただし、本発明は、方立部材３を配設しない場合を排除するものでない。
【００１７】
調整機構６は、開口枠１の縦枠部材２に対応する固定用部材２１及び開口枠１の方立部材３に対応する固定用部材３１と、固定用部材２１、３１に対して、開口枠１の縦方向部材の位置決めを行う位置決め部材６０とから構成される。
ここで、開口枠１の縦枠部材２に対応する固定用部材２１は、躯体枠Ｗの縦方向躯体枠部材Ｗｙに取り付けられる。
また、開口枠１の方立部材３に対応する固定用部材３１は、躯体枠Ｗの横方向躯体枠部材Ｗｘ及び戸袋用下枠部材５に取り付けられる。
この場合、固定用部材２１、３１は、躯体枠Ｗの縦方向躯体枠部材Ｗｙや躯体枠Ｗの横方向躯体枠部材Ｗｘ及び戸袋用下枠部材５に対して、ネジ等の締結部材で固定するほか、溶接によって固定するようにしても構わない。
【００１８】
位置決め部材６０は、その構成を特に限定されるものではなく、開口枠１の縦方向部材としての縦枠部材２及び方立部材３の鉛直度を出すことができる部材であればよく、本実施例においては、固定用部材２１、３１に形成した雌ネジ穴６ｂと、雌ネジ穴６ｂに螺合するネジ６ａとから構成するようにしている。
【００１９】
この場合、固定用部材２１、３１は、縦枠部材２及び方立部材３と同様に、ほぼ床面から躯体枠Ｗの横方向躯体枠部材Ｗｘの高さ位置に至るまでの長さを有する長尺部材を使用するほか、位置決め部材６０を配設する箇所のみに固定するようにしても構わない。
【００２０】
次に、開口枠１の縦方向部材としての縦枠部材２の具体的な取付構造について説明する。
【００２１】
躯体枠Ｗは、縦方向躯体枠部材Ｗｙ、Ｗｙと横方向躯体枠部材Ｗｘとが略Ｈ状に連結され、建造物に設置されるものであるが、見込方向Ｎ（躯体枠Ｗを含む面Ｍに対して略直交する方向）に、縦方向躯体枠部材Ｗｙが傾斜して（具体的には、図３に示すように、鉛直線Ｐに対して角度α傾斜して）施工される場合がある。
そして、この場合、縦方向躯体枠部材Ｗｙに直接取り付けられる固定用部材２１の面Ｋも、同様に、鉛直線Ｐに対して角度α傾斜して取り付けられることとなる。
【００２２】
このように、鉛直線Ｐに対して角度α傾斜して取り付けられた固定用部材２１に形成した雌ネジ穴６ｂに対して、縦枠部材２に形成したネジ取付孔２０ａを介して、ネジ６ａを螺合する。
この場合、図３に示す方向に縦方向躯体枠部材Ｗｙが傾斜している場合には、上側のネジ６ａよりも下側のネジ６ａのねじ込み量を大きくして、縦枠部材２の見込方向Ｎと直交する面Ｔの鉛直度を出して取り付けるようにする。
【００２３】
その後、ネジ等の締結部材Ｂ１を、縦枠部材２に形成した長孔形状のネジ取付孔２０ｂを介して、固定用部材２１に固定することによって、縦枠部材２を鉛直度を出した状態で固定することができる。
【００２４】
なお、縦枠部材２は、一体ものであっても構わないが、本実施例においては、図２に示すように、居室側と廊下側とに分けた分割体２０、２０で構成し、それぞれ個別に、固定用部材２１に取り付けるようにするとともに、分割体２０、２０同士を締結部材Ｂ２によって連結、固定し、接合部にカバーＣを配設するようにしている。
このように、縦枠部材２を分割体２０、２０で構成することによって、部材毎の重量を軽くすることができ、作業性を向上することができる。
【００２５】
これによって、躯体枠Ｗの縦方向躯体枠部材Ｗｙが傾斜して施工されていても、開口枠１の縦枠部材２を、鉛直度を出した状態で取り付けることができる。
【００２６】
次に、開口枠１の縦方向部材としての方立部材３の具体的な取付構造について説明する。
【００２７】
まず、鉛直度を出した状態で取り付けた縦枠部材２の上端に合わせて、開口枠１の上枠部材４を、躯体枠Ｗの横方向躯体枠部材Ｗｘに適宜手段（例えば、ネジ等の締結部材）を用いて取り付ける。
【００２８】
このとき、躯体枠Ｗの縦方向躯体枠部材Ｗｙが図３に示すように傾斜して施工されていると、図４（ａ）に示すように、躯体枠Ｗの横方向躯体枠部材Ｗｘの中心Ｋ１に対して、開口枠１の上枠部材４の中心Ｄ１が寸法ｄだけずれて取り付けられることとなる。
【００２９】
一方、戸袋用下枠部材５は、その中心Ｄ２が、上枠部材４の中心Ｄ１と同一鉛直面内に位置するように取り付けられる。
このため、躯体枠Ｗの横方向躯体枠部材Ｗｘと戸袋用下枠部材５とに掛け渡すようにネジ等の締結部材Ｂ３によって取り付けられる方立部材３の固定用部材３１は、縦枠部材２の固定用部材２１と同様に傾斜した状態で固定されることとなる。
この場合、方立部材３の固定用部材３１は、居室側と廊下側とにそれぞれ配設され、これに対応して、方立部材３も、居室側と廊下側とに分けた分割体３０、３０で構成し、それぞれ個別に、固定用部材３１に取り付けるようにする。
【００３０】
そして、方立部材３は、その下端の適所をネジ等の締結部材Ｂ４によって、固定用部材３１及び戸袋用下枠部材５に固定するとともに、その上端部の適所を調整機構６を構成する位置決め部材６０によって、固定用部材３１に鉛直度を出した状態で取り付けるようにする。
【００３１】
位置決め部材６０は、上述のとおり、本実施例においては、固定用部材３１に形成した雌ネジ穴６ｂと、雌ネジ穴６ｂに螺合するネジ６ａとから構成し、図４（ａ）に示すように、躯体枠Ｗの横方向躯体枠部材Ｗｘの中心Ｋ１に対して、開口枠１の上枠部材４の中心Ｄ１が寸法ｄだけずれて取り付けられている場合には、左側のネジ６ａよりも右側のネジ６ａのねじ込み量を大きくして、方立部材３の鉛直度を出すようにする。
【００３２】
これによって、躯体枠Ｗの縦方向躯体枠部材Ｗｙが傾斜して施工されていても、開口枠１の方立部材３を、鉛直度を出した状態で取り付けることができる。
【実施例２】
【００３３】
図５に、本発明の開口枠の第２実施例を示す。
この開口枠１は、調整機構６を構成する位置決め部材６０を、固定用部材２１に形成した雌ネジ穴６ｂと、雌ネジ穴６ｂに螺合するネジ６ｃと、ネジ６ｃを固定用部材２１から所望の長さＬだけ突出した状態で固定するロックナット６ｄとから構成し、縦枠部材２（分割体２０）を固定用部材２１に取り付ける前に、ネジ６ｃの突出長さＬを縦枠部材２が鉛直になるように調整し、縦枠部材２の内表面をネジ６ｃに当接させた状態で、縦枠部材２を締結部材Ｂ１によって固定用部材２１に固定するようにしたものである。
【００３４】
これによって、縦枠部材２の露出する面にネジ取付孔２０ａを形成する必要がなくなり、意匠的に優れた開口枠１を提供することができる。
【００３５】
なお、本実施例のその他の構成及び作用は、上記第１実施例と同様である。
【００３６】
以上、本発明の開口枠について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００３７】
本発明の開口枠は、予め建造物に設置されている躯体枠の精度に左右されることなく、簡単に鉛直度を出して開口枠を取り付けることができることから、躯体枠の鉛直方向の精度が低い建築物等に対して好適に適用することができる。
【図面の簡単な説明】
【００３８】
【図１】本発明の開口枠の第１実施例を示す正面図である。
【図２】図１のＸ１−Ｘ１断面図である。
【図３】図２のＺ−Ｚ断面図である。
【図４】（ａ）は図１のＹ−Ｙ断面図、（ｂ）は図１のＸ２−Ｘ２断面図である。
【図５】本発明の開口枠の第２実施例を示す、図１のＸ１−Ｘ１断面図に対応する部分断面図である。
【図６】従来の開口枠を示す正面図である。
【符号の説明】
【００３９】
１    開口枠
２    縦枠部材（縦方向部材）
２１  固定用部材
３    方立部材（縦方向部材）
３１  固定用部材
４    上枠部材
５    戸袋用下枠部材
６    調整機構
６０  位置決め部材
Ｗ    躯体枠
Ｗｘ  横方向躯体枠部材
Ｗｙ  縦方向躯体枠部材
【図１】
2009235881.tif 000003
【図２】
2009235881.tif 000004
【図３】
2009235881.tif 000005
【図４】
2009235881.tif 000006
【図５】
2009235881.tif 000007
【図６】
2009235881.tif 000008